(57)【要約】      （修正有）【課題】セルのリソースの効率的な使用を増加し、選択されたサービスのレベルで可能な限り多くの顧客にサービスを提供する方法を提供する。【解決手段】拡張型ノードＢ（ｅＮｏｄｅＢ）のセルを、複数のＵＥ分布ビンにマッピングする。ｅＮｏｄｅＢのセルにおけるＵＥは、ＵＥからｅＮｏｄｅＢへのＵＬ伝送のタイムアドバンス値及び到来角（ＡＯＡ）測定結果を用いて決定されるセルにおけるＵＥの位置に基づいて、ＵＥ分布ビンに関連付けられる。セルにおける１又は複数のＵＥのＵＥ分布を、複数のＵＥ分布ビンのそれぞれにおけるＵＥの数に基づいて計算する。【選択図】図５
2018117380.tif 000002
【特許請求の範囲】
【請求項１】
通信ネットワークに対するユーザ機器（ＵＥ）分布情報を決定するように動作可能な拡張型ノードＢ（ｅＮｏｄｅＢ）であって、
前記ｅＮｏｄｅＢのセルを複数のＵＥ分布ビンにマッピングし、
前記ＵＥから前記ｅＮｏｄｅＢへのＵＬ伝送のタイムアドバンス値（ＴＡＤＶ値）及び到来角測定結果（ＡＯＡ測定結果）を用いて決定される前記セルにおける前記ＵＥの位置に基づいて、前記ｅＮｏｄｅＢの前記セルにおけるＵＥをＵＥ分布ビンに関連付け、
前記複数のＵＥ分布ビンのそれぞれにおけるＵＥの数に基づいて、前記セルにおける１又は複数のＵＥのＵＥ分布を計算する
ように構成されるコンピュータ回路を有するｅＮｏｄｅＢ。
【請求項２】
選択された期間に対して性能管理グラニュラリティタイマ（ＰＭグラニュラリティタイマ）を設定し、
ＰＭ  ＵＥ分布を形成するために、前記ＰＭグラニュラリティタイマが満了するまで、ＵＥ分布情報を前記複数のＵＥ分布ビンに反復的に更新する
ようにさらに構成される請求項１に記載のコンピュータ回路。
【請求項３】
選択された複数のイベントをトリガするために、前記ＵＥ分布情報を用いるようにさらに構成され、
前記ＵＥ分布情報は、前記セルの空間データ及び時間データを含む、請求項２に記載のコンピュータ回路。
【請求項４】
前記選択された複数のイベントは、
追加の容量を提供するために、隣接するセルのカバレッジを調整すること、又は
データトラフィックの輻輳を軽減するために、１又は複数のスモールセルの配置位置を特定すること
を含む、請求項３に記載のコンピュータ回路。
【請求項５】
複数のＵＥ分布ビンのそれぞれにおけるＵＥの数を格納するために、前記複数の分布ビンに対する性能管理ＵＥ分布テーブル（ＰＭ  ＵＥ分布テーブル）を作成し、
前記ＰＭ  ＵＥ分布テーブルが作成されるときに、又は前記ＰＭグラニュラリティタイマが満了するときに、前記ＰＭ  ＵＥ分布テーブルの前記複数の分布ビンのそれぞれに配置されるＵＥのカウントをゼロに初期化する
ようにさらに構成される請求項１に記載のコンピュータ回路。
【請求項６】
前記ＵＥの前記ｅＮｏｄｅＢへのＵＬ伝送に対するＴＡＤＶ値及びＡＯＡ測定結果を決定し、
前記ＴＡＤＶ値及び前記ＡＯＡ測定結果に基づいて、前記ＵＥに対するＴＡＤＶインデックス及びＡＯＡインデックスを選択し、
前記ＴＡＤＶインデックス及び前記ＡＯＡインデックスを用いて、前記ＰＭ  ＵＥ分布テーブルにおける前記複数のＵＥ分布ビンのＵＥ分布ビンに前記ＵＥを関連付ける
ことによって、前記セルにおける前記ＵＥ分布ビンにおけるＵＥの数を計算するようにさらに構成される請求項５に記載のコンピュータ回路。
【請求項７】
データを通信するためのＵＥ  ＵＬ伝送をｅＮｏｄｅＢで受信し、
前記ＵＥから受信された前記ＵＥ  ＵＬ伝送のタイプを決定する
ようにさらに構成される請求項１に記載のコンピュータ回路。
【請求項８】
前記ＵＥ  ＵＬ伝送の前記タイプがタイプ１の伝送であるときに、前記ＴＡＤＶは、ＮＴＡ値を計算するために用いられる６ビットのタイミングアドバンス値であり、前記ＵＥ  ＵＬ伝送の前記タイプがタイプ２の伝送であるときに、前記ＴＡＤＶは、１１ビットのタイミングアドバンス値である、請求項７に記載のコンピュータ回路。
【請求項９】
前記ＡＯＡ測定結果は、タイプ２のＴＡＤＶに対する物理ランダムアクセスチャネル（ＰＲＡＣＨ）又はタイプ１のＴＡＤＶに対する物理アップリンク共有チャネル（ＰＵＳＣＨ）で受信された複数のアップリンク無線フレームからのプリアンブル検出及びタイミングアドバンス推定は複数のサウンディング参照信号（ＳＲＳ）、又はユーザデータフレームを用いて決定される、請求項６に記載のコンピュータ回路。
【請求項１０】
ＮＴＡ，ｎｅｗ＝ＮＴＡ，ｏｌｄ＋（ＴＡ−３１）×１６を用いて、前記ＵＥと前記ｅＮｏｄｅＢとの間の距離を決定するようにさらに構成され、
ＮＴＡ，ｎｅｗは、前記ＵＥの現在の位置と前記ｅＮｏｄｅＢとの間の距離のＴＡＤＶ値であり、
ＮＴＡ，ｏｌｄは、前記ＵＥの前の位置と前記ｅＮｏｄｅＢとの間の距離のＴＡＤＶ値であり、
ＴＡは、６ビットのタイミングアラインメント値であり、
（ＴＡ−３１）×１６は、ＵＥの前記前の位置と前記ＵＥの前記現在の位置との間の距離を計算するためのタイム値を取得するために用いられる１６倍の値であり、
計算された前記距離は、前記ｅＮｏｄｅＢに到来するデータ伝送を選択された時間ウインドウ内に同期するために、前記ＵＥによって用いられる、請求項８に記載のコンピュータ回路。
【請求項１１】
ＮＴＡ＝ＴＡ×１６を用いて、前記ＵＥと前記ｅＮｏｄｅＢとの間の距離を決定するようにさらに構成され、ＴＡは、１１ビットの値である、請求項８に記載のコンピュータ回路。
【請求項１２】
ＮＴＡ＝ＴＡ×１６は、ＵＥとｅＮｏｄｅＢとの間の絶対距離を計算するために用いられるタイム値を取得するために用いられる、請求項１１に記載のコンピュータ回路。
【請求項１３】
前記ＵＥのＵＬタイミングが前記ｅＮｏｄｅＢのタイミングに調整されているときに、前記ＵＥ  ＵＬ伝送は、タイプ１の伝送であり、前記ＵＥのＵＬタイミングが前記ｅＮｏｄｅＢのタイミングに調整されていないときに、前記ＵＥ  ＵＬ伝送は、タイプ２の伝送である、請求項８に記載のコンピュータ回路。
【請求項１４】
ＴＡＤＶ＝（ｅＮｏｄｅＢデータ受信時間−ＵＥデータ送信時間）＋（ＵＥデータ受信時間−ｅＮｏｄｅＢデータ送信時間）を用いて、前記ＵＥ  ＵＬ伝送の前記タイプが前記タイプ１の伝送のときの前記ＴＡＤＶ測定結果を計算するようにさらに構成される請求項８に記載のコンピュータ回路。
【請求項１５】
前記ＰＭグラニュラリティタイマが満了するときに、前記ＰＭ  ＵＥ分布情報をネットワークマネージャに通信するようにさらに構成される請求項１に記載のコンピュータ回路。
【請求項１６】
選択された期間に前記ＰＭ  ＵＥ分布を決定し、選択された時間に前記ＰＭ  ＵＥ分布情報をネットワークマネージャに通信するようにさらに構成される請求項１に記載のコンピュータ回路。
【請求項１７】
選択された複数の期間に前記セルにおける前記１又は複数のＵＥの複数のＵＥ分布を決定し、
前記セルにおける前記１又は複数のＵＥのそれぞれにＵＥ  ＩＤを割り当て、
新たなＵＥの各々をＵＥ分布ビンに反復的に追加するようにさらに構成され、
前記新たなＵＥは、前記ＵＥ  ＩＤに基づいて決定される、請求項１６に記載のコンピュータ回路。
【請求項１８】
拡張型ノードＢ（ｅＮｏｄｅＢ）のセルに対するユーザ機器（ＵＥ）分布情報を決定するように動作可能なｅＮｏｄｅＢであって、
前記セルにおける１又は複数のＵＥのそれぞれに対するタイムアドバンス値（ＴＡＤＶ値）及び到来角測定結果（ＡＯＡ測定結果）を用いて、前記セルにおけるＵＥと前記ｅＮｏｄｅＢとの間の位置を決定し、
前記セルにおける前記ＵＥの前記位置に基づいて、前記セルにおける選択されたＵＥ分布ビンに前記１又は複数のＵＥのそれぞれを割り当て、
前記セルにおける複数のＵＥの分布を決定するために、前記セルにおける各ＵＥ分布ビンにおけるＵＥの数を特定する
ように構成されるコンピュータ回路を有するｅＮｏｄｅＢ。
【請求項１９】
複数のＵＥ分布ビンの２次元アレイに前記セルをマッピングする手順であって、各分布ビンは、選択されたＴＡＤＶ値の範囲及びＡＯＡ測定結果の範囲に関連付けられる、手順と、
前記ＵＥに対する前記ＴＡＤＶ値及びＡＯＡ測定結果に基づいて、ＵＥ分布ビンに各ＵＥを割り当てる手順と
によって、前記セルにおける複数のＵＥの分布を計算するようにさらに構成される請求項１８に記載のコンピュータ回路。
【請求項２０】
所望のＵＥ分布ビンのサイズを提供するために、前記ＴＡＤＶ値の範囲及び前記ＡＯＡ測定結果の範囲を変化させることによって、ＵＥ分布ビンのサイズを変化させるようにさらに構成される請求項１９に記載のコンピュータ回路。
【請求項２１】
前記セルにおける複数のＵＥ分布ビンの複数の異なるサイズを提供するようにさらに構成される請求項２０に記載のコンピュータ回路。
【請求項２２】
ＵＥが通信するように構成されるノードの数に基づいて、ＵＥ分布ビンのサイズを選択するようにさらに構成される請求項２０に記載のコンピュータ回路。
【請求項２３】
ＰＭグラニュラリティタイマが満了するまで、前記セルにおけるＵＥ分布情報を反復的に更新するようにさらに構成される請求項１８記載のコンピュータ回路。
【請求項２４】
前記ＰＭグラニュラリティタイマが満了するときに、前記ＵＥ分布情報をネットワークマネージャに通信するようにさらに構成される請求項２３に記載のコンピュータ回路。
【請求項２５】
通信ネットワークに対するユーザ機器（ＵＥ）分布情報を決定する方法を実装するために実行されるように適合される命令をそこに格納している非一時的記憶媒体を含む製品であって、
前記方法は、
前記ｅＮｏｄｅＢのセルにおけるＵＥから、ＵＬ信号を受信する段階と、
前記ＵＬ信号の到来角（ＡＯＡ）を計算する段階と、
前記ＵＥに対するタイミングアドバンス値（ＴＡＤＶ値）を特定する段階と、
前記ＡＯＡ及び前記ＴＡＤＶ値を用いて、前記セルにおける前記ＵＥの位置を決定する段階と、
前記セルにおける複数のＵＥの分布を特定するために、前記セルにおける複数の他のＵＥの位置に対して相対的に、前記セルにおける前記ＵＥの前記位置をマッピングする段階と
備える、製品。
【請求項２６】
前記方法は、
前記複数のＵＥのそれぞれの前記ＡＯＡ及び前記タイミングアドバンス値を用いて、前記セルにおける複数のＵＥのそれぞれに対する位置を決定する手順と、
前記複数のＵＥのそれぞれの前記位置を複数のＵＥ分布ビンの２次元アレイにマッピングする手順であって、各分布ビンは、選択されたＴＡＤＶ値の範囲及びＡＯＡ測定結果の範囲に関連付けられる、手順と、
前記ＵＥに対する前記ＴＡＤＶ値及びＡＯＡ測定結果に基づいて、前記複数のＵＥのそれぞれをＵＥ分布ビンに割り当てる手順と
によって、前記セルにおける複数のＵＥの分布を計算する段階をさらに備える、請求項２５に記載の製品。
【請求項２７】
前記方法は、ビンの基準を用いて、前記２次元アレイの前記複数のＵＥ分布ビンのそれぞれに対する１又は複数のＵＥ分布ビンのサイズを選択する段階をさらに備える、請求項２５に記載の製品。
【請求項２８】
前記ビンの基準は、
選択されたＵＥ分布の詳細レベルと、
セルに対する全てのビンの選択された数と、
ビン毎の選択されたセルのカバレッジエリアと
を含む、請求項２７に記載の製品。
【請求項２９】
前記方法は、
選択された期間に対して性能管理グラニュラリティタイマ（ＰＭグラニュラリティタイマ）を設定する段階と、
ＰＭ  ＵＥ分布を形成するために、前記ＰＭグラニュラリティタイマが満了するまで、複数のＵＥ分布ビンの前記２次元アレイにおける前記複数のＵＥのそれぞれの前記位置のマッピングを反復的に更新する段階と、
前記ＰＭグラニュラリティタイマが満了するときに、ＰＭ  ＵＥ分布情報をネットワークマネージャに通信する段階と
をさらに備える、請求項２６に記載の製品。
【発明の詳細な説明】
【背景技術】
【０００１】
［関連出願］  本願は、２０１３年８月８日に出願された米国仮出願第６１／８６３，９０２号（代理人整理番号Ｐ６０２３３Ｚ）、２０１３年９月１７日に出願された米国仮出願第６１／８７９，０１４号（代理人整理番号Ｐ６１０２６Ｚ）、２０１４年１月６日に出願された米国仮出願第６１／９２４，１９４号（代理人整理番号Ｐ６３３５９Ｚ）、及び２０１４年８月５日に出願された米国出願第１４／４５１，６９４号（代理人整理番号Ｐ６６１９５）の恩恵を請求し、ここでそれらを参照することによって組み込む。
【０００２】
セルのカバレッジ及び帯域幅の性能は、典型的には、ネットワーク計画フェーズの中で決定される。しかし、ネットワーク計画フェーズの中で、正確な量のトラフィック及び複数のユーザ機器（ＵＥ）からのトラフィックの分布は、未知である。セルにおけるトラフィック負荷の分布は、セルにおける複数のユーザの動的な挙動（例えば、ＵＥの使用レベル及びアクティビティ）及び動的な環境の条件（例えば、ラッシュアワー、大規模なイベント等）に起因して不均一であり得る。
【０００３】
ユーザに理解されるようなサービス性能は、ユーザが動作しているセルにおけるトラフィック負荷に、例えば、選択された位置におけるセルのリソースを共有しているユーザの数に依存し得る。ユーザ経験及びサービス性能は、選択された地理的エリア内の同一のセルを用いるＵＥの数に増加があるときに、かなり低下し得る。選択された期間に対する及び／又は選択されたイベントに対するセルにおけるトラフィックの分布の決定は、環境及びユーザの挙動に従ってセルのリソースを設定するために用いられ得る。セルのリソースは、セルのリソースの効率的な使用を増加し、選択されたサービスのレベルで可能な限り多くの顧客にサービスを提供するように構成され得る。
【図面の簡単な説明】
【０００４】
本開示の特徴及び利点は、例として、本開示の特徴を共に示す添付の図面と併用されて、以下の詳細な説明から明らかになるであろう。
【０００５】
【図１】実施例に係るタイミングアドバンス（ＴＡＤＶ）測定結果及びユーザ機器（ＵＥ）の到来角（ＡＯＡ）測定結果に基づく複数の２次元（２Ｄ）ビンを有する通信ネットワークにおけるセルを示す。
【０００６】
【図２】実施例に係るＴＡＤＶ測定結果及びＡＯＡ測定結果を用いて特定される性能管理（ＰＭ）ＵＥ分布に対するビンの２Ｄテーブルを示す。
【０００７】
【図３】実施例に係る通信ネットワークのセルにおけるＵＥ分布ＰＭデータを収集するための方法を示す。
【０００８】
【図４】実施例に係る通信ネットワークにおけるセルに対する複数の分布ビンを示す。
【０００９】
【図５】実施例に係る通信ネットワークに対するＵＥ分布情報を決定するように動作可能な通信ネットワークにおけるｅＮｏｄｅＢを有するコンピュータ回路の機能性を示す。
【００１０】
【図６】実施例に係るｅＮｏｄｅＢのセルに対するＵＥ分布情報を決定するように動作可能な通信ネットワークにおけるｅＮｏｄｅＢを有するコンピュータ回路の機能性を示す。
【００１１】
【図７】実施例に係る通信ネットワークに対するＵＥ分布情報を決定する方法を実装するために実行されるように適合される命令をそこに格納している非一時的記憶媒体を含む製品を示す。
【００１２】
【図８】実施例に係るＵＥの図を示す。
【００１３】
参照は、例示的な実施形態が示されるために付され、特定の言語は、それを説明するためにここで用いられるであろう。それでもなお、それによって本発明の範囲の限定が意図されないことが理解されるであろう。
【発明を実施するための形態】
【００１４】
本発明が開示されて説明される前に、当業者によって認識されるように、本発明は、ここで開示される特定の構造、プロセスステップ、又は材料に限定されず、それらの均等物に拡張されることが理解されるべきである。ここで採用される用語は、特定の例を説明することのみの目的のために用いられ、限定されることは意図されないことも理解されるべきである。異なる図面における同一の参照数字は、同一の要素を表す。フローチャート及びプロセスにおいて提供される数字は、ステップ及び動作を示すことにおける明確さのために提供され、必ずしも、特定の順序又はシーケンスを示さない。
【００１５】
セルにおけるユーザ機器（ＵＥ）分布は、トラフィックサージイベントが生じている時間及び場所を決定するために、拡張型ノードＢ（ｅＮｏｄｅＢ）によって測定され得る。空間データ及び時間データは、セルのトラフィック負荷のサージ又は突然の増加に対して調整するために、選択された動作をトリガするために用いられ得る。一実施形態において、選択された動作は、サージが生じているセルにおける複数のＵＥへの追加の容量を提供するために、より軽いトラフィック負荷を有する隣接するセルのカバレッジを調整することであり得る。他の実施形態において、選択された動作は、トラフィックの輻輳の問題を軽減するために、将来のスモールセルの配置のためのセルにおける１又は複数の位置を特定するためであり得る。
【００１６】
一実施形態において、セルの容量レベル又はカバレッジエリアは、セルにおける複数のＵＥの連続的、半連続的、又は定期的な空間及び時間測定結果に基づいて、動的に調整され得る。他の実施形態において、セルにおける複数のＵＥの分布は、２次元（２Ｄ）ビン測定結果を用いて決定され得る。例えば、２次元ビン測定結果は、セル内の１又は複数のＵＥからの到来角（ＡＯＡ）測定結果及びタイミングアドバンス（ＴＡＤＶ）測定結果を含み得る。
【００１７】
一実施形態において、ＴＡＤＶは、ＵＥが、ＵＥとｅＮｏｄｅＢとの間の距離に起因する伝搬遅延を補償すべく、ＵＥからｅＮｏｄｅＢへの伝送のタイミングを早めるために用いる、ｅＮｏｄｅＢによってＵＥに送信される信号である。一例において、タイプ２のＴＡＤＶは、ＵＥとｅＮｏｄｅＢとの間の信号のラウンドトリップ遅延を測定する。他の例において、タイプ１のＴＡＤＶは、ＵＥが最後のデータフレームを送信するために用いたタイミングアドバンスについてのタイミング調整を示すデルタ値を表す。他の例において、ＵＥがタイプ１のＴＡＤＶを受信するときに、ＵＥが最後のデータフレームを送信するために用いたタイミングアドバンスは、アップリンクデータ伝送に対する新たなタイミングアドバンスを計算するために、タイプ１のＴＡＤＶに従って調整され得る。
【００１８】
他の実施形態において、ＡＯＡは、北の基準からの反時計回りの方向に移動しているときの正の角度等の地理的参照点又は方向に関するＵＥの角度の推定である。ＡＯＡは、ｅＮｏｄｅＢのアンテナによって決定され得る。例えば、ｅＮｏｄｅＢのアンテナは、ＡＯＡを決定するために、ＵＥに対応するアップリンク（ＵＬ）チャネルを用い得る。
【００１９】
一実施形態において、直近のドライブテストの最小化（ＭＤＴ）は、セルにおける複数のＵＥの２Ｄ分布を測定するために用いられ得る。例えば、ＵＥは、基準信号受信電力（ＲＳＲＰ）測定結果及び基準信号受信品質（ＲＳＲＱ）測定結果を含む、選択された直近のＭＤＴ測定結果を取り出し、セルハンドオフプロシージャ中にｅＮｏｄｅＢに測定結果をレポートし得る。一実施形態において、ｅＮｏｄｅＢは、ハンドオーバを決定するための選択された測定結果をＵＥがレポートすることを要求するために、無線リソース制御接続再設定（rrcConnectionReconfiguration）メッセージをＵＥに送信し得る。他の実施形態において、rrcConnectionReconfigurationメッセージの測定結果構成情報要素（MeasConfig IE）は、ＵＥが隣接するセルをどのようにスキャンするかを示すスキャン情報、及びＵＥが選択された測定結果でレポートする条件を含み得る。一実施形態において、スキャン情報は、イントラ周波数又はインター周波数の複数のＥ−ＵＴＲＡのセルのための情報を提供する測定対象の進化型ユニバーサル地上波無線アクセスネットワーク（MeasObjectEUTRA）メッセージを含み得る。他の実施形態において、スキャン情報は、Ｅ−ＵＴＲＡ測定結果レポートイベントをトリガするための基準を規定するレポート設定Ｅ−ＵＴＲＡ（ReportConfigEUTRA）メッセージを含み得る。
【００２０】
一実施形態において、ReportConfigEUTRAメッセージは、ＵＥがサービングセルから受信したＲＳＲＰ及びＲＳＲＱが、隣接するセルから受信されたＲＳＲＰ及びＲＳＲＱに比べてより高いかより低いかを決定するために、ｅＮｏｄｅＢによって監視され得る。従来、ＲＳＲＰ及びＲＳＲＱの測定結果は、主に、ハンドオーバの開始のための時間を決定するために用いられ、ＵＥが隣接するセルに近接するときに、レポートイベントが生じる。ＲＳＲＰ及び／又はＲＳＲＱを測定するためのレポートイベントがハンドオーバの開始でトリガされると、直近のＭＤＴは、セルの端の複数のＵＥに限定されてよく、セル全体にわたるＵＥ分布を測定するために用いられなくてよい。
【００２１】
一実施形態において、ReportConfigEUTRAメッセージにのけるトリガのタイプが定期的に設定されるときに、複数のＵＥの測定結果が定期的にレポートされ得る。一実施形態において、ハンドオーバを決定は、ネットワーク又はｅＮｏｄｅＢによって制御される。定期的なトリガが用いられるときに、ｅＮｏｄｅＢは、ハンドオーバを決定する前に、複数のＵＥ測定結果レポートを連続的に受信する。ＲＳＲＰ及びＲＳＲＱの測定結果の連続的なレポートは、通信ネットワークの負荷を増加させ得る。従来、ＲＳＲＰ及びＲＳＲＱの測定結果のレポートは、ハンドオーバが開始される前の複数のＵＥ測定結果レポートを最小化するために、複数のイベントトリガに基づく。定期的にトリガされるＭ１測定結果が、セルにわたるＵＥ分布情報をキャプチャするために用いられるときに、セルにおける複数のＵＥは、ハンドオーバに必要なＵＥの測定結果を提供するために、定期的なトリガを用い得る。複数のＭ１測定結果の使用は、ＵＥ分布情報をキャプチャするために、オーバヘッドの量を増加させる。従来、複数のＵＥ測定結果レポートにおける位置情報及び複数のＭ１測定結果（MeasResults）は、任意的であり得る。したがって、ＭＤＴ測定結果は、複数のＵＥの分布を決定するために、測定結果情報を提供しなくてよい。
【００２２】
一実施形態において、ｅＮｏｄｅＢは、ＴＡＤＶ測定結果及びＡＯＡ測定結果からＵＥ分布を測定するために、ＵＥのＵＬタイミングアラインメントを用い得る。一実施形態において、ＵＥ  ＵＬタイミングアラインメントは、ｅＮｏｄｅＢのタイミング情報をＵＥのタイミング情報に同期させるために、連続的又は定期的に用いられる。複数のＵＥの分布を決定するためにＴＡＤＶ情報及びＡＯＡ情報を用いることの１つの利点は、オーバヘッドを増加させることなく、ＵＥ分布を決定することであり得る。
【００２３】
一実施形態において、ＵＬタイミングアラインメントは、ＵＥからの伝送を、選択された時間ウインドウ内でｅＮｏｄｅＢに到来させることを可能にするために用いられ得る。他の実施形態において、ＵＥの伝送のＵＬタイミングが、ｅＮｏｄｅＢでの選択された時間ウインドウに調整されていないときに、ＵＥの伝送は、複数の他のＵＥからの伝送と干渉し得る。一例において、ｅＮｏｄｅＢは、ＵＥからの伝送を受信し、ｅＮｏｄｅＢで定義されたウインドウ内に到来するＵＥからの伝送を調整するためのＴＡＤＶを計算するために、メディアアクセスチャネル（ＭＡＣ）レイヤプロトコルを用い得る。ｅＮｏｄｅＢは、ＴＡＤＶコマンドＭＡＣ制御要素を介してＵＥにＴＡＤＶ情報を送信し得る。
【００２４】
一実施形態において、ＵＥからのＵＬ伝送が複数の他のＵＥからの伝送と干渉することを防ぐために、ＵＥのＵＬタイミングがｅＮｏｄｅＢの受信時間ウインドウに調整されていることをＵＥが確認するまで、ＵＥはデータを送信しない。他の実施形態において、ＵＥは、ＵＥのＵＬタイミングが調整されていると仮定される時間ウインドウインターバルを決定するために、時間アラインメントタイマを用い得る。他の実施形態において、ＵＥは、ＵＥがタイミングアドバンスコマンドを受信するときに、時間アラインメントタイマを再始動し得る。時間アラインメントタイマが動作しているときに、ＵＥは、ＵＬタイミングが調整されていると仮定し得、データを送信するために割り当てられた複数のＵＬリソースを用い得る。時間アラインメントタイマが満了するときに、ＵＬタイミングは、調整されておらず、ＵＥは、ＵＬデータを送信することを中止する。
【００２５】
一実施形態において、ｅＮｏｄｅＢは、ＵＬタイミングアラインメントを維持するために、時間アラインメントタイマが満了する前に、タイミングアドバンスコマンドをＵＥに送信し得る。他の実施形態において、ＴＡＤＶコマンドは、タイミングアドバンスインデックス値、例えば、０と６３との間の値を示す６ビットフィールドを含む。他の実施形態において、タイミングアドバンスインデックス値は、タイプ１のＴＡＤＶコマンドと一致する。一例において、タイプ１のＴＡＤＶコマンドは、前にタイミングが調整された複数のＵＥのＵＬタイミングを調整するために用いられ得る。一実施形態において、タイプ１のＴＡＤＶコマンドは、次の式を用いて計算され得る。
ＴＡＤＶ＝（ｅＮｏｄｅＢ  Ｒｘ  ｔｉｍｅ−ｅＮｏｄｅＢ  Ｔｘ  ｔｉｍｅ）＋（ＵＥ  Ｒｘ  ｔｉｍｅ−ＵＥ  Ｔｘ  ｔｉｍｅ  （１）
ここで、ｅＮｏｄｅＢ  Ｒｘ  ｔｉｍｅは、信号がｅＮｏｄｅＢで受信される時間を表し、ｅＮｏｄｅＢ  Ｔｘ  ｔｉｍｅは、信号がｅＮｏｄｅＢから送信される時間を表し、ＵＥ  Ｒｘ  ｔｉｍｅは、信号がＵＥで受信される時間を表し、ＵＥ  Ｔｘ  ｔｉｍｅは、信号がＵＥから送信される時間を表す。
【００２６】
他の実施形態において、ＵＥは、ＵＬタイミングアラインメントを維持しなくてよい。一例において、ＵＥは、ＵＥがデータを送信していないときに、ＵＬタイミングアラインメントを維持しなくてよい。他の実施形態において、ＵＬタイミングが調整されていないときに、ＵＥは、ランダムアクセス（ＲＡ）プロシージャを実行し、ＲＡ応答メッセージのＭＡＣペイロードにおいて、タイミングアドバンスコマンドをｅＮｏｄｅＢから受信し得る。
【００２７】
一実施形態において、タイミングアドバンスコマンドフィールドは、ＵＥのタイミング調整を調整するために用いられるインデックス値Ｔａを含み得る。他の実施形態において、タイミングアドバンスコマンドフィールドは、１１ビット、例えば、０と１２８２との間のインデックス値であり得る。他の実施形態において、１１ビットのタイミングアドバンスコマンドフィールドは、ＵＥからのプリアンブル検出及びタイミングアドバンス推定（ＰＲＡＣＨ）を含むＵＬ無線フレームから測定されるタイプ２のＴＡＤＶと一致する。１１ビットのタイミングアドバンス値は、ｅＮｏｄｅＢで受信され得、ｅＮｏｄｅＢは、次の式を用いてＮＴＡを決定し得る。
ＮＴＡ＝Ｔａ×１６  （２）
【００２８】
一実施形態において、１１ビットのタイミングアドバンスコマンドは、時間遅延又はＵＥとｅＮｏｄｅＢとの間の距離を表す絶対値である。一例において、タイミングアドバンスコマンドは、ＵＥが信号を送信すること、ｅＮｏｄｅＢが信号を受信すること、ｅＮｏｄｅＢが信号をＵＥに送信し返すこと、及びＵＥが信号を受信することの間の時間、例えば、ＵＥとｅＮｏｄｅＢとの間のラウンドトリップ信号時間遅延を表す値であり得る。他の実施形態において、６ビットのタイミングアドバンスコマンドは、ＵＥが最後のデータフレームを送信するために用いたタイミングアドバンスのタイミング調整を示すデルタ値であり得る。６ビットのタイミングアドバンス値は、ｅＮｏｄｅＢで受信され得、ｅＮｏｄｅＢは、次の式を用いて新たなＮＴＡを決定し得る。
ＮＴＡ，ｎｅｗ＝ＮＴＡ，ｏｌｄ＋（ＴＡ−３１）×１６  （３）
ここで、ＮＴＡは、時間遅延又はＵＥとｅＮｏｄｅＢとの間の距離を表し、ＮＴＡ，ｎｅｗは、現在の時間遅延又はＵＥとｅＮｏｄｅＢとの間の距離を表し、ＮＴＡ，ｏｌｄは、前の時間遅延又はＵＥとｅＮｏｄｅＢとの間の距離を表す。
【００２９】
一実施形態において、ＮＴＡの単位は、Ｔｓ＝１／（１５０００×２０４８）秒等の時間の基本単位であり得る。一実施形態において、ＵＥとｅＮｏｄｅＢとの間の距離は、例えば、時間アラインメントタイマが動作している、調整されているＵＬタイミングを有する複数のＵＥに対するＮＴＡを用いて推定され得る。他の実施形態において、ＵＥとｅＮｏｄｅＢとの間の距離は、例えば、時間アラインメントタイマが動作していない、調整されていないＵＬタイミングを有する複数のＵＥに対する１１ビットのタイミングアドバンスコマンドを用いて推定され得る。一実施形態において、ｅＮｏｄｅＢは、ユーザデータ又はＰＲＡＣＨ等のＵＬ伝送又はＵＬ伝送の部分を用いてＡＯＡを推定し得る。他の実施形態において、ｅＮｏｄｅＢは、ＡＯＡを推定するために、複数のサウンディング参照信号（ＳＲＳ）を用い得る。
【００３０】
一実施形態において、２Ｄビン測定結果は、ＵＥがＵＬタイミングアラインメントを実行したときに測定されたＴＡＤＶを用いて、及びＵＥがＵＬ伝送をデータチャネル上又はＰＲＡＣＨチャネル上の何れかで送信するときに測定されたＡＯＡを用いて決定され得る。図１は、ＵＥのＴＡＤＶ測定結果及びＡＯＡ測定結果に基づく複数の２Ｄビン１１０を有する通信ネットワークにおけるセル１２０を示す。
【００３１】
一実施形態において、図１に示されるようなＵＥ分布性能管理（ＰＭ）測定結果は、セル等の地理的エリアにわたってＵＥ分布を監視すべく、複数の２Ｄビン１１０を提供するために用いられ得る。一例において、複数の２Ｄビンは、ＴＡＤＶ及びＡＯＡを用いて形成され得る。一実施形態において、ＴＡＤＶインデックス及びＡＯＡインデックスは、複数のビンの２Ｄテーブルにおけるビンの列及び行を特定するために用いられ、ここで、ｘはＴＡＤＶを表し、ｙはＡＯＡを表す。一実施形態において、ＴＡＤＶは、ＵＬタイミングが調整されている複数のＵＥに対するＮＴＡに等しい。他の実施形態において、ＴＡＤＶは、ＮＴＡ×１６に等しくてよく、ここで、ＮＴＡは、ＵＬタイミングが調整されていない複数のＵＥのための、０と１２８２との間の１１ビットのタイミングアドバンス値である。他の実施形態において、ＡＯＡは、ユーザデータフレーム又はＰＲＡＣＨ等のＵＬ伝送のセグメントを用いて、又は複数のサウンディング参照信号を用いて測定され得る。他の実施形態において、ＵＥ分布ＰＭ測定結果は、コンポーネントキャリア（ＣＣ）測定結果を含み得る。他の実施形態において、ｅＮｏｄｅＢは、選択されたビンにおけるＵＥの数を示すために、選択された値（１等）によってＴＡＤＶ及びＡＯＡを用いて特定されるビンの値を反復的に増加し得る。
【００３２】
図２は、ＴＡＤＶ測定結果及びＡＯＡ測定結果を用いて特定されるＰＭ  ＵＥ分布に対する複数のビンの２Ｄテーブルを示す。一実施形態において、インデックスｘ及びインデックスｙは、複数のビンの２Ｄテーブルにおけるビンの列及び行を特定するために用いられ、ここで、（図１に示されるように）ｘはＴＡＤＶを表し、ｙはＡＯＡを表す。他の実施形態において、ＴＡＤＶは、０から７６９０までの範囲に及び得る。
【００３３】
他の実施形態において、ＡＯＡは、０から７１９までの範囲に及び得、ここで、各ＡＯＡ値は、０度から３６０度の間の角度に対応する。一実施形態において、セクタ化されたセルは、インデックスｙのサブセットを用い得る。例えば、複数の３セクタセルに対して、第１セクタに対するインデックスｙは、０と３との間であり得、第２セクタに対するインデックスｙは、４と７との間であり得、第３セクタに対するインデックスｙは、８と１１との間であり得る。他の実施形態において、ＵＥ分布ＰＭ測定結果は、アンテナアレイを有するｅＮｏｄｅＢに用いられ得る。他の実施形態において、インデックスｘ及びインデックスｙは、整数値であり得る。他の実施形態において、ＵＥ分布ＰＭ測定結果は、MR.UeDistribution.x.yを含み得、ここで、図２の例に示されるように、ｘは０から１０までの整数であり、ｙは０から１１までの整数である。この例は、限定することを意図されない。ビンのサイズは、セルにおけるＵＥの位置を特定するために用いられる所望の地理的分解能を提供するために選択され得る。一実施形態において、MR.UeDistribution.x.yは、各ビンにおける値を表し得、ＰＭ測定結果のフォーマットタイプであり得る。
【００３４】
一実施形態において、各２Ｄビンのビンのサイズは、設定可能であってよい。例えば、ビンのサイズは、ＵＥ分布情報に対する選択された詳細レベルを提供するために、セルにおける選択されたエリアに対して選択されたビンのサイズに調整され得る。各セルは、同一のサイズでなくてよい。選択された複数のエリアは、より高い分解能を提供するために、より多いビン（即ち、より小さいビン）を有してよい。例えば、より大きい数のスモールセルを有する複数の地理的エリアは、より高い分解能を提供するために、より小さい複数のビンで構成され得る。
【００３５】
図３は、通信ネットワークのセルにおけるＵＥ分布ＰＭデータを収集する方法を示すフローチャート３００を示す。一実施形態において、セルは、ＴＡＤＶインデックス及びＡＯＡインデックスによって特定される複数の２Ｄビンに分割され得る。方法は、ＰＭ  ＵＥ分布テーブルが作成されたときに、又はＰＭグラニュラリティタイマが満了するときに、ブロック３１０におけるように、ＰＭ  ＵＥ分布テーブルの複数の分布ビンのそれぞれに配置されるＵＥのカウントをゼロに初期化する段階を備え得る。一例において、ｅＮｏｄｅＢは、ＴＡＤＶインデックス及びＡＯＡインデックスに対応する各分布ビンを通して繰り返し、分布ビンをゼロに初期化し得る。ブロック３２０におけるように、方法は、ＰＭグラニュラリティタイマをゼロに初期化する段階をさらに備え得る。ブロック３３０におけるように、方法は、ＵＥ  ＵＬ伝送がｅＮｏｄｅＢで受信されるまで、ＵＥ  ＵＬ伝送がｅＮｏｄｅＢで受信されるか否かを反復的に決定する段階をさらに備え得る。ブロック３４０におけるように、方法は、ＵＥ  ＵＬ伝送がタイプ１の伝送であるとき、及びＵＥ  ＵＬ伝送がタイプ２の伝送であるときを決定する段階をさらに備え得る。一実施形態において、タイプ１の伝送は、ＵＥのＵＬタイミングがｅＮｏｄｅＢのタイミングウインドウに調整されているＵＥからの伝送である。他の実施形態において、タイプ２の伝送は、ＵＥのＵＬタイミングがｅＮｏｄｅＢのタイミングウインドウに調整されていないＵＥからの伝送である。一実施形態において、ブロック３５０におけるように、伝送タイプがタイプ１の伝送であるときに、ＴＡＤＶはＮＴＡである。他の実施形態において、ブロック３６０におけるように、伝送タイプがタイプ２の伝送であるときに、ＴＡＤＶは、１１ビットのタイミングアドバンス値である。
【００３６】
ブロック３７０におけるように、方法は、ＵＥに対するＡＯＡを計算する段階をさらに備え得る。一実施形態において、アップリンク伝送に対するＡＯＡは、ｅＮｏｄｅＢのアンテナアレイを用いて決定され得る。ブロック３８０におけるように、方法は、（ｘで表される）ＴＡＤＶインデックス及び（ｙで表される）ＡＯＡインデックスを計算する段階をさらに備え得る。ブロック３９０におけるように、方法は、ＴＡＤＶインデックス及びＡＯＡインデックスに対応するビンに対するＵＥのカウントをインクリメントする段階をさらに備え得る。ブロック３９２におけるように、方法は、ＰＭグラニュラリティタイマが満了しているか否かを決定する段階をさらに備え得る。矢印３９４で示されるように、ＰＭグラニュラリティタイマが満了していないときに、方法は、ＰＭグラニュラリティタイマが満了するまで、ブロック３３０から３９０に対して開示される方法を通して戻って繰り返す段階をさらに備え得る。ブロック３９６におけるように、ＰＭグラニュラリティタイマが満了しているときに、方法は、２ＤビンＰＭ  ＵＥ分布データをネットワークマネージャにレポートする段階をさらに備え得る。矢印３９８で示されるように、方法は、選択された期間、ブロック３３０から３９６に対して開示される方法を通して戻って繰り返す段階をさらに備え得る。
【００３７】
図４は、通信ネットワークにおけるセル４２０に対する複数の分布ビン４１０を示す。一実施形態において、セル４２０のためのＰＭ  ＵＥ分布テーブルに対する複数の分布ビン４１０のそれぞれのサイズは、設定可能又は可変であり得る。図４は、図１に示される複数のビンのサイズに比べて、ＰＭ  ＵＥ分布テーブルに対する複数の分布ビン４１０のそれぞれのより小さい複数のビンのサイズをさらに示す。一実施形態において、図４に示されるより小さい複数のビン４１０は、前述のように、ＵＥ分布情報に対する増加された詳細レベルを提供し得る。
【００３８】
一実施形態において、通信ネットワークのセルにおける各ＵＥは、ＵＥ識別子（ＩＤ）を有し得る。他の実施形態において、ｅＮｏｄｅＢは、いつＵＥがＵＥ  ＩＤを用いて２Ｄ  ＰＭ  ＵＥ分布テーブルにおいてカウントされたかを決定し得る。一例において、２Ｄ  ＰＭ  ＵＥ分布テーブルは、１１×１２ビンを含み得、ｅＮｏｄｅＢは、例えば１５分に一回、選択されたＰＭグラニュラリティインターバルの間に、２Ｄ  ＰＭ  ＵＥ分布情報を２Ｄ  ＰＭ  ＵＥ分布テーブルからネットワークマネージャにレポートし得る。この例において、ｅＮｏｄｅＢは、複数の１５分のインターバルの間に、セルにおける複数のＵＥに対する２Ｄ  ＰＭ  ＵＥ分布情報を反復的に決定し得る。一実施形態において、ＵＥが比較的静止している、例えば、ＰＭグラニュラリティインターバル中に同一のビン内にとどまっているときに、ｅＮｏｄｅＢは、ＰＭグラニュラリティインターバル中、例えば、ＵＥがＰＭグラニュラリティインターバル中に複数のＵＬ伝送を送信するときに、ＵＥを複数回カウントしてよい。一例において、複数のビン測定結果は、セルにおけるＵＥ分布についての相対的な情報を提供し得る。一実施形態において、ｅＮｏｄｅＢは、ＵＬ伝送を送信するＵＥが、ＵＥが前にＵＬ伝送を送信したときと同一のビンにいるときを決定するために、ＵＥ  ＩＤを用い得る。一実施形態において、ＵＥがＰＭグラニュラリティインターバル中に前に同一のセルに対するＵＬ伝送を送信しているときに、ｅＮｏｄｅＢは、２Ｄ  ＰＭ  ＵＥ分布テーブルにおいて再びＵＥをカウントすることを除外し得る。
【００３９】
図５においてフローチャートに示されるように、他の例は、通信ネットワークに対するＵＥ分布情報を決定するように動作可能な通信ネットワークにおけるｅＮｏｄｅＢのコンピュータ回路の機能性５００を提供する。機能性は、方法として実装され得、機能性は、機械上で命令として実行され得、命令は、少なくとも１つのコンピュータ可読媒体又は１つの非一時的機械可読記憶媒体に含まれる。ブロック５１０におけるように、コンピュータ回路は、ｅＮｏｄｅＢのセルを複数のＵＥ分布ビンにマッピングするように構成され得る。ブロック５２０におけるように、コンピュータ回路は、ＵＥからｅＮｏｄｅＢへのＵＬ伝送のＴＡＤＶ値及びＡＯＡ測定結果を用いて決定されるセルにおけるＵＥの位置に基づいて、ｅＮｏｄｅＢのセルにおけるＵＥをＵＥ分布ビンに関連付けるようにさらに構成され得る。ブロック５３０におけるように、コンピュータ回路は、また、複数のＵＥ分布ビンのそれぞれにおけるＵＥの数に基づいて、セルにおける１又は複数のＵＥのＵＥ分布を計算するように構成され得る。
【００４０】
一実施形態において、コンピュータ回路は、選択された期間に対してＰＭグラニュラリティタイマを設定し、ＰＭ  ＵＥ分布を形成するために、ＰＭグラニュラリティタイマが満了するまで、ＵＥ分布情報を複数のＵＥ分布ビンに反復的に更新するようにさらに構成され得る。他の実施形態において、コンピュータ回路は、選択された複数のイベントをトリガするために、ＵＥ分布情報を用いるようにさらに構成され得、ＵＥ分布情報は、セルの空間データ及び時間データを含む。他の実施形態において、選択された複数のイベントは、追加容量を提供するために、隣接するセルのカバレッジを調整すること、又はデータトラフィックの輻輳を軽減するために、１又は複数のスモールセルの配置位置を特定すること含む。他の実施形態において、コンピュータ回路は、複数のＵＥ分布ビンのそれぞれにおけるＵＥの数を格納するために、複数の分布ビンに対するＰＭ  ＵＥ分布テーブルを作成し、ＰＭ  ＵＥ分布テーブルが作成されたとき、又はＰＭグラニュラリティタイマが満了するときに、ＰＭ  ＵＥ分布テーブルの複数の分布ビンのそれぞれに配置されるＵＥのカウントをゼロに初期化するようにさらに構成され得る。他の実施形態において、コンピュータ回路は、ＵＥのｅＮｏｄｅＢへのＵＬ伝送に対するＴＡＤＶ値及びＡＯＡ測定結果を決定すること、ＴＡＤＶ値及びＡＯＡ測定結果に基づいてＵＥに対するＴＡＤＶインデックス及びＡＯＡインデックスを選択すること、ＴＡＤＶインデックス及びＡＯＡインデックスを用いて、ＰＭ  ＵＥ分布テーブルにおける複数のＵＥ分布ビンのうちのＵＥ分布ビンにＵＥを関連付けることによって、セルに対するＵＥ分布ビンにおけるＵＥの数を計算するようにさらに構成され得る。
【００４１】
他の実施形態において、コンピュータ回路は、データを通信するためのＵＥ  ＵＬ伝送をｅＮｏｄｅＢで受信し、ＵＥから受信されたＵＥ  ＵＬ伝送のタイプを決定するようにさらに構成され得る。他の実施形態において、ＵＥ  ＵＬ伝送のタイプがタイプ１の伝送であるときに、ＴＡＤＶは、ＮＴＡ値を計算するために用いられる６ビットのタイミングアドバンス値であり、ＵＥ  ＵＬ伝送のタイプがタイプ２の伝送であるときに、ＴＡＤＶは、１１ビットのタイミングアドバンス値である。他の実施形態において、ＡＯＡ測定結果は、タイプ２のＴＡＤＶに対する物理ランダムアクセスチャネル（ＰＲＡＣＨ）又はタイプ１のＴＡＤＶに対する物理アップリンク共有チャネル（ＰＵＳＣＨ）で受信された複数のアップリンク無線フレームからのプリアンブル検出及びタイミングアドバンス推定、ＳＲＳ、又はユーザデータフレームを用いて決定される。他の実施形態において、コンピュータ回路は、ＮＴＡ，ｎｅｗ＝ＮＴＡ，ｏｌｄ＋（ＴＡ−３１）×１６を用いて、ＵＥとｅＮｏｄｅＢとの間の距離を決定するようにさらに構成され得、ここで、ＮＴＡ，ｎｅｗは、ＵＥの現在の位置とｅＮｏｄｅＢとの間の距離のＴＡＤＶ値であり、ＮＴＡ，ｏｌｄは、ＵＥの前の位置とｅＮｏｄｅＢとの間の距離のＴＡＤＶ値であり、ＴＡは、６ビットのタイミングアラインメント値であり、（ＴＡ−３１）×１６は、ＵＥの前の位置とＵＥの現在の位置との間の距離を計算するためのタイム値を取得するために用いられる１６倍の値であり、計算された距離は、ｅＮｏｄｅＢに到来するデータ伝送を選択された時間ウインドウ内に同期するために、ＵＥによって用いられる。
【００４２】
一実施形態において、コンピュータ回路は、ＮＴＡ＝ＴＡ×１６を用いて、ＵＥとｅＮｏｄｅＢとの間の距離を決定するようにさらに構成され得、ここで、ＴＡは、１１ビットの値である。他の実施形態において、ＮＴＡ＝ＴＡ×１６は、ＵＥとｅＮｏｄｅＢとの間の絶対距離を計算するために用いられるタイム値を取得するために用いられる。他の実施形態において、ＵＥとｅＮｏｄｅＢとの間の絶対距離は、ＵＥとｅＮｏｄｅＢとの間のラウンドトリップ距離であり得る。一例において、絶対距離は、ＮＴＡにおける光が進む距離の半分であり得る。
【００４３】
他の実施形態において、ＵＥのＵＬタイミングがｅＮｏｄｅＢのタイミングに調整されているときに、ＵＥ  ＵＬ伝送は、タイプ１の伝送であり、ＵＥのＵＬタイミングがｅＮｏｄｅＢのタイミングに調整されていないときに、ＵＥ  ＵＬ伝送は、タイプ２の伝送である。他の実施形態において、コンピュータ回路は、ＴＡＤＶ＝（ｅＮｏｄｅＢデータ受信時間−ＵＥデータ送信時間）＋（ＵＥデータ受信時間−ｅＮｏｄｅＢデータ送信時間）を用いて、ＵＥ  ＵＬ伝送のタイプがタイプ１の伝送のときのＴＡＤＶ測定結果を計算するようにさらに構成され得る。他の実施形態において、コンピュータ回路は、ＰＭグラニュラリティタイマが満了するときに、ＰＭ  ＵＥ分布情報をネットワークマネージャに通信するようにさらに構成され得る。他の実施形態において、コンピュータ回路は、選択された期間にＰＭ  ＵＥ分布を決定し、選択された時間にＰＭ  ＵＥ分布情報をネットワークマネージャに通信するようにさらに構成され得る。他の実施形態において、コンピュータ回路は、選択された複数の期間にセルにおける１又は複数のＵＥの複数のＵＥ分布を決定し、セルにおける１又は複数のＵＥのそれぞれにＵＥ  ＩＤを割り当て、新たなＵＥの各々をＵＥ分布ビンに反復的に追加するようにさらに構成され得、新たなＵＥは、ＵＥ  ＩＤに基づいて決定される。
【００４４】
図６においてフローチャートに示されるように、他の例は、ｅＮｏｄｅＢのセルに対するＵＥ分布情報を決定するように動作可能な通信ネットワークにおけるｅＮｏｄｅＢのコンピュータ回路の機能性６００を提供する。機能性は、方法として実装され得、又は機能性は、機械上で命令として実行され得、命令は、少なくとも１つのコンピュータ可読媒体又は１つの非一時的機械可読記憶媒体に含まれる。ブロック６１０におけるように、コンピュータ回路は、セルにおける１又は複数のＵＥのそれぞれに対するＴＡＤＶ値及びＡＯＡ測定結果を用いて、セルにおけるＵＥとｅＮｏｄｅＢとの間の位置を決定するように構成され得る。ブロック６２０におけるように、コンピュータ回路は、セルにおけるＵＥの位置に基づいて、セルにおける選択されたＵＥ分布ビンに１又は複数のＵＥのそれぞれを割り当てるようにさらに構成され得る。ブロック６３０におけるように、コンピュータ回路は、また、セルにおける複数のＵＥの分布を決定するために、セルにおける各ＵＥ分布ビンのＵＥの数を特定するように構成され得る。
【００４５】
一実施形態において、コンピュータ回路は、複数のＵＥ分布ビンの２次元アレイにセルをマッピングする手順であって、各分布ビンは、選択されたＴＡＤＶ値の範囲及びＡＯＡ測定結果の範囲に関連付けられる、手順と、ＵＥに対するＴＡＤＶ値及びＡＯＡ測定結果に基づいて、ＵＥ分布ビンに各ＵＥを割り当てる手順とによって、セルにおける複数のＵＥの分布を計算するようにさらに構成され得る。一実施形態において、コンピュータ回路は、所望のＵＥ分布ビンのサイズを提供するために、ＴＡＤＶ値の範囲及びＡＯＡ測定結果の範囲を変化させることによって、ＵＥ分布ビンのサイズを変化させるようにさらに構成され得る。一実施形態において、コンピュータ回路は、セルにおける複数のＵＥ分布ビンの複数の異なるサイズを提供するようにさらに構成され得る。一実施形態において、コンピュータ回路は、ＵＥが通信するように構成されるノードの数に基づいて、ＵＥ分布ビンのサイズを選択するようにさらに構成され得る。一実施形態において、コンピュータ回路は、ＰＭグラニュラリティタイマが満了するまで、セルにおけるＵＥ分布情報を反復的に更新するようにさらに構成され得る。一実施形態において、コンピュータ回路は、ＰＭグラニュラリティタイマが満了するときに、ＵＥ分布情報をネットワークマネージャに通信するようにさらに構成され得る。
【００４６】
図７においてフローチャートに示されるように、他の例は、通信ネットワークに対するＵＥ分布情報を決定する方法を実装するために実行されるように適合される命令をそこに格納している非一時的記憶媒体を含む製品の機能性７００を提供する。製品の命令は、方法として又は機械上の命令として実装され得、命令は、少なくとも１つのコンピュータ可読媒体又は１つの非一時的機械可読記憶媒体に含まれる。ブロック７１０におけるように、方法は、ｅＮｏｄｅＢのセルにおけるＵＥから、ＵＬ信号を受信する段階を備え得る。ブロック７２０におけるように、方法は、ＵＬ信号のＡＯＡを計算する段階をさらに備え得る。ブロック７３０におけるように、方法は、ＵＥに対するＴＡＤＶ値を特定する段階をさらに備え得る。ブロック７４０におけるように、方法は、ＡＯＡ及びＴＡＤＶ値を用いて、セルにおけるＵＥの位置を決定する段階をさらに備え得る。ブロック７５０におけるように、方法は、セルにおける複数のＵＥの分布を特定するために、セルにおける複数の他のＵＥの位置に対して相対的に、セルにおけるＵＥの位置をマッピングする段階をさらに備え得る。
【００４７】
一実施形態において、方法は、複数のＵＥのそれぞれのＡＯＡ及びタイミングアドバンス値を用いて、セルにおける複数のＵＥのそれぞれに対する位置を決定する手順と、複数のＵＥのそれぞれの位置を複数のＵＥ分布ビンの２次元アレイにマッピングする手順であって、各分布ビンは、選択されたＴＡＤＶ値の範囲及びＡＯＡ測定結果の範囲に関連付けられる、手順と、ＵＥに対するＴＡＤＶ値及びＡＯＡ測定結果に基づいて、複数のＵＥのそれぞれをＵＥ分布ビンに割り当てる手順とによって、セルにおける複数のＵＥの分布を計算する段階をさらに備え得る。他の実施形態において、方法は、ビンの基準を用いて、２次元アレイの複数のＵＥ分布ビンのそれぞれに対する１又は複数のＵＥ分布ビンのサイズを選択する段階をさらに備え得る。他の実施形態において、ビンの基準は、選択されたＵＥ分布の詳細レベル、セルに対する全てのビンの選択された数、及びビン毎の選択されたセルのカバレッジエリアを含む。一実施形態において、方法は、選択された期間に対して性能管理（ＰＭ）グラニュラリティタイマを設定する段階と、ＰＭ  ＵＥ分布を形成するために、ＰＭグラニュラリティタイマが満了するまで、複数のＵＥ分布ビンの２次元アレイにおける複数のＵＥのそれぞれの位置のマッピングを反復的に更新する段階と、ＰＭグラニュラリティタイマが満了するときに、ＰＭ  ＵＥ分布情報をネットワークマネージャに通信する段階とをさらに備え得る。
【００４８】
一実施形態において、方法は、複数のＵＥのそれぞれのＡＯＡ及びタイミングアドバンス値を用いて、セルにおける複数のＵＥのそれぞれに対する位置を決定する手順と、複数のＵＥのそれぞれの位置をＵＥ分布ビンの２次元アレイにマッピングする手順であって、各分布ビンは、選択されたＴＡＤＶ値の範囲及びＡＯＡ測定結果の範囲に関連付けられる、手順と、ＵＥに対するＴＡＤＶ値及びＡＯＡ測定結果に基づいて、複数のＵＥのそれぞれをＵＥ分布ビンに割り当てる手順とによって、セルにおける複数のＵＥの分布を計算する段階をさらに備え得る。他の実施形態において、方法は、ビンの基準を用いて、２次元アレイの複数のＵＥ分布ビンのそれぞれに対する１又は複数のＵＥ分布ビンのサイズを選択する段階をさら備え得る。他の実施形態において、ビンの基準は、選択されたＵＥ分布の詳細レベル、セルに対する全てのビンの選択された数、及びビン毎の選択されたセルのカバレッジエリアを含む。
【００４９】
他の実施形態において、方法は、選択された期間に対して性能管理（ＰＭ）グラニュラリティタイマを設定する段階と、ＰＭ  ＵＥ分布を形成するために、ＰＭグラニュラリティタイマが満了するまで、複数のＵＥ分布ビンの２次元アレイにおける複数のＵＥのそれぞれの位置のマッピングを反復的に更新する段階と、ＰＭグラニュラリティタイマが満了するときに、ＰＭ  ＵＥ分布情報をネットワークマネージャに通信する段階とをさらに備え得る。
【００５０】
図８は、ユーザ機器（ＵＥ）、移動局（ＭＳ）、移動無線デバイス、移動通信デバイス、タブレット、ハンドセット、又は他のタイプの無線デバイス等の無線デバイスの例示的な図を提供する。無線デバイスは、基地局（ＢＳ）、進化型ノードＢ（ｅＮｏｄｅＢ）、ベースバンドユニット（ＢＢＵ）、遠隔無線ヘッド（ＲＲＨ）、遠隔無線機器（ＲＲＥ）、中継局（ＲＳ）、無線機器（ＲＥ）、遠隔無線ユニット（ＲＲＵ）、中央処理モジュール（ＣＰＭ）、又は他のタイプの無線ワイドエリアネットワーク（ＷＷＡＮ）アクセスポイント等の伝送局又はノードと通信するように構成される１又は複数のアンテナを含み得る。無線デバイスは、３ＧＰＰ  ＬＴＥ、ＷｉＭＡＸ（登録商標）、高速パケットアクセス（ＨＳＰＡ）、ブルートゥース（登録商標）、及びＷｉＦｉ（登録商標）を含む少なくとも１つの無線通信規格を用いて通信するように構成され得る。無線デバイスは、各無線通信規格に対して別個のアンテナを、又は複数の無線通信規格に対して共有のアンテナを用いて通信し得る。無線デバイスは、無線ローカルエリアネットワーク（ＷＬＡＮ）、無線パーソナルエリアネットワーク（ＷＰＡＮ）、及び／又はＷＷＡＮにおいて通信し得る。
【００５１】
図８は、また、無線デバイスからのオーディオ入出力に用いられ得るマイク及び１又は複数のスピーカの図を提供する。ディスプレイスクリーンは、液晶ディスプレイ（ＬＣＤ）スクリーン、又は有機発光ダイオード（ＯＬＥＤ）ディスプレイ等の他のタイプのディスプレイスクリーンであってよい。ディスプレイスクリーンは、タッチスクリーンとして構成され得る。タッチスクリーンは、静電容量方式、抵抗方式、又は他のタイプのタッチスクリーン技術を用いてよい。アプリケーションプロセッサ及びグラフィックスプロセッサは、処理及びディスプレイ機能を提供すべく、内部メモリに結合され得る。不揮発性メモリポートは、また、ユーザにデータ入出力のオプションを提供するために用いられ得る。不揮発性メモリポートは、また、無線デバイスのメモリ機能を拡張するために用いられてよい。キーボードは、追加のユーザ入力を提供すべく、無線デバイスと一体化され、又は無線デバイスに無線接続されてよい。仮想キーボードは、また、タッチスクリーンを用いて提供されてよい。
【００５２】
様々な技術、又はその特定の態様又は部分は、フロッピ（登録商標）ディスク、ＣＤ−ＲＯＭ、ハードドライブ、非一時的コンピュータ可読記憶媒体、又は任意の他の機械可読記憶媒体等の有形の媒体で具現化されるプログラムコード（即ち、命令）の形であってよく、プログラムコードがコンピュータ等の機械にロードされて実行されるときに、機械は、様々な技術を実施するための装置となる。プログラマブルなコンピュータ上でのプログラムコードの実行の場合、コンピューティングデバイスは、プロセッサ、プロセッサによって読み取り可能な記憶媒体（揮発性メモリ及び不揮発性メモリ、及び／又は記憶要素を含む）、少なくとも１つの入力デバイス、及び少なくとも１つの出力デバイスを含み得る。揮発性及び不揮発性メモリ及び／又は記憶要素は、ＲＡＭ、ＥＰＲＯＭ、フラッシュドライブ、光学式ドライブ、磁気ハードドライブ、又は電子データを格納するための他の媒体であってよい。基地局及び移動局は、また、送受信機モジュール、カウンタモジュール、処理モジュール、及び／又はクロックモジュール又はタイマモジュールを含んでよい。ここで説明される様々な技術を実装又は利用し得る１又は複数のプログラムは、アプリケーションプログラミングインターフェース（ＡＰＩ）、リユーザブルコントロール、及び同種のものを用いてよい。そのようなプログラムは、コンピュータシステムと通信すべく、高水準手順型又はオブジェクト指向プログラミング言語で実装されてよい。しかし、所望の場合、（複数の）プログラムは、アセンブリ又は機械言語で実装されてよい。いずれの場合であっても、言語は、コンパイラ型又はインタプリタ型言語であってよく、ハードウェア実装と組み合わせられてよい。
【００５３】
本明細書において説明される機能ユニットの多くは、それらの実装の独立性をより具体的に強調すべく、モジュールとしてラベル付けされていることが理解されるべきである。例えば、モジュールは、カスタムＶＬＳＩ回路又はゲートアレイ、ロジックチップ等の既製の半導体、トランジスタ、又は他の別個のコンポーネントを備えるハードウェア回路として実装されてよい。モジュールは、また、フィールドプログラマブルゲートアレイ、プログラマブルアレイロジック、プログラマブルロジックデバイス、又は同種のもの等のプログラマブルハードウェアデバイスに実装されてよい。
【００５４】
モジュールは、また、様々なタイプのプロセッサによって実行されるソフトウェアに実装されてよい。例えば、実行可能コードの特定されるモジュールは、例えば、オブジェクト、プロシージャ、又は機能として体系化され得るコンピュータ命令の１又は複数の物理的又は論理的ブロックを備えてよい。それでもなお、特定されるモジュールの実行可能ファイルは、物理的に一緒に配置される必要はないが、論理的に共に組み合わせられるときにモジュールを備え、モジュールに対して述べられた目的を達成する、異なる位置に格納される異なる命令を備えてよい。
【００５５】
実際、実行可能コードのモジュールは、単一の命令又は多くの命令であってよく、さらに、いくつかの異なるコードセグメントにわたって、異なるプログラムの中で、及びいくつかのメモリデバイスをわたって分布されてよい。同様に、処理データは、ここではモジュール内で特定されて示されてよく、任意の適切な形態で具現化され、任意の適切なタイプのデータ構造内で体系化されてよい。処理データは、単一のデータセットとして収集されてよく、又は異なる記憶デバイスを亘って含む異なる位置に亘って分布させられてよく、及び単にシステム又はネットワーク上で電子信号として少なくとも部分的に存在してよい。モジュールは、受動的又は能動的であってよく、所望の機能を実行するよう動作可能であるエージェントを含む。
【００５６】
本明細書全体を通じて「例」についての言及は、例に関連して説明される特定の特徴、構造、又は特性が本発明の少なくとも１つの実施形態に含まれることを意味する。したがって、本明細書全体を通じて様々な箇所において「例において」という表現の出現は、必ずしも全て同一の実施形態を参照していない。
【００５７】
ここで用いられるように、複数のアイテム、構造的要素、構成要素、及び／又は材料は、便宜上、共通のリストに提示されてよい。しかし、これらのリストは、リストの各部材が別個で一意的な部材として個々に特定されるかのように解釈されるべきである。したがって、そのようなリストの個々の部材は、それとは反対の指摘がない限り、共通のグループにおけるそれらの提示にのみ基づいて、同一のリストの任意の他の部材の事実上の均等物として解釈されるべきではない。さらに、本発明の様々な実施形態及び例は、それらの様々なコンポーネントの代替手段と共にここで参照されてよい。そのような実施形態、例、代替手段は、互いの事実上の均等物として解釈されず、本発明の別個で自律的な表現とみなされるべきであることが理解される。
【００５８】
さらに、説明される特徴、構造、又は特性は、１又は複数の実施形態において、任意の適切なやり方で組み合わせられてよい。以下の説明において、本発明の実施形態の深い理解を提供すべく、例えば、レイアウトの例、距離、ネットワークの例等、多数の具体的な詳細が提供される。しかし、当業者は、本発明が、具体的な詳細のうちの１又は複数を用いずに、又は他の方法、コンポーネント、レイアウト等を用いて実施され得ることを認識できるであろう。他の例において、周知の構造、材料、又は動作は、本発明の態様を不明瞭にすることを防ぐべく、示されず又は詳細に説明されない。
【００５９】
前述の例は、１又は複数の特定の応用における本発明の原理の例であるが、発明力を発揮することなく、本発明の原理及び概念から逸脱することなく、実装の形、使用、及び詳細における多数の修正がなされ得ることが当業者に明らかであろう。したがって、本発明が以下に記載される請求項以外によって限定されることは意図されない。
【図１】
2018117380.tif 000003
【図２】
2018117380.tif 000004
【図３】
2018117380.tif 000005
【図４】
2018117380.tif 000006
【図５】
2018117380.tif 000007
【図６】
2018117380.tif 000008
【図７】
2018117380.tif 000009
【図８】
2018117380.tif 000010
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
通信ネットワークに対するユーザ機器（ＵＥ）分布情報に基づいてセルのカバレッジを適合するように動作可能なｅＮｏｄｅＢの装置であって、前記装置は、１又は複数のプロセッサと、メモリとを備え、
前記ｅＮｏｄｅＢに関連付けられるセルにおける複数のユーザ機器（複数のＵＥ）のそれぞれに対してタイミングアドバンス値測定及び到来角（ＡＯＡ）測定を有する２次元ビン測定を実行し、
前記複数のＵＥのそれぞれに対する前記２次元ビン測定に基づいて、前記ｅＮｏｄｅＢの前記セルにおける前記複数のＵＥの分布を監視し、
前記セルにおける前記複数のＵＥの前記分布に基づいて、前記ｅＮｏｄｅＢにより形成された前記セルのカバレッジエリアの調整を前記ｅＮｏｄｅＢにてトリガする
ように構成される装置。
【請求項２】
前記セルにおける前記複数のＵＥの前記分布に基づいて、前記ｅＮｏｄｅＢにより形成された前記セルに追加の容量を提供するようにさらに構成される、請求項１に記載の装置。
【請求項３】
前記セルにおける前記複数のＵＥの前記分布により示されるように、前記セルのトラフィック負荷に基づいて、前記セルの前記カバレッジを調整する又は前記セルに追加の容量を提供するようにさらに構成される、請求項１又は２に記載の装置。
【請求項４】
規定された期間の間、前記ｅＮｏｄｅＢにより形成された前記セルにおける前記複数のＵＥの前記分布を定期的に監視するようにさらに構成される、請求項１から３のいずれか一項に記載の装置。
【請求項５】
前記セル内の複数のユーザの分布に基づいて、前記ｅＮｏｄｅＢにより形成された前記セルの前記カバレッジエリアを調整するようにさらに構成される、請求項１から４のいずれか一項に記載の装置。
【請求項６】
前記ｅＮｏｄｅＢは、前記セル内の１又は複数のユーザ機器（１又は複数のＵＥ）と通信するように構成され、前記１又は複数のＵＥは、アンテナ、タッチセンサ式のディスプレイスクリーン、スピーカ、マイク、グラフィックスプロセッサ、アプリケーションプロセッサ、内部メモリ、不揮発性メモリポート、及びこれらの組み合わせを含む、請求項１から５のいずれか一項に記載の装置。
【請求項７】
ｅＮｏｄｅＢのプロセッサに、
前記ｅＮｏｄｅＢにより形成されたセルに対するユーザ機器（ＵＥ）分布情報を決定する手順であって、前記ＵＥ分布情報は、前記セルにおける複数のＵＥの分布を示す、手順と、
前記セルに対する前記ＵＥ分布情報に基づいて、前記ｅＮｏｄｅＢにより形成された前記セルのカバレッジエリア又は前記ｅＮｏｄｅＢにより形成された前記セルの容量レベルの調整をトリガする手順と
を実行させるためのプログラム。
【請求項８】
前記プロセッサに、
前記ＵＥ分布情報により示されるように、前記セルのトラフィック負荷に基づいて、前記セルのカバレッジを調整する又は前記セルの追加の容量を提供する手順をさらに実行させるための、請求項７に記載のプログラム。
【請求項９】
前記プロセッサに、
２次元ビン測定結果（２Ｄビン測定結果）を用いて、前記セルに対する前記ＵＥ分布情報を決定する手順をさらに実行させるための、請求項７又は８に記載のプログラム。
【請求項１０】
前記２Ｄビン測定結果は、前記セル内の１又は複数のＵＥからレポートされたタイミングアドバンス値（ＴＡＤＶ値）測定結果及び到来角（ＡＯＡ）測定結果を用いて作成される、請求項９に記載のプログラム。
【請求項１１】
前記プロセッサに、
規定された期間の間、前記ｅＮｏｄｅＢにより形成された前記セルにおけるＵＥ分布を定期的に監視する手順をさらに実行させるための、請求項７から１０のいずれか一項に記載のプログラム。
【請求項１２】
前記プロセッサに、
前記セル内の複数のユーザの分布に基づいて、前記ｅＮｏｄｅＢにより形成された前記セルの前記カバレッジエリアを調整する手順をさらに実行させるための、請求項７から１１のいずれか一項に記載のプログラム。
【請求項１３】
請求項７から１２のいずれか一項に記載のプログラムを格納するコンピュータ可読記録媒体。
【請求項１４】
通信ネットワークに対するユーザ機器（ＵＥ）分布情報に基づいてセルのカバレッジを適合するように動作可能な基地局であって、前記基地局は、１又は複数のプロセッサと、メモリとを備え、
前記基地局により形成されたセルに対するＵＥ分布情報を前記基地局にて決定し、前記ＵＥ分布情報は、前記セルにおける複数のＵＥの地理的な分布を示し、
前記セルに対する前記ＵＥ分布情報に基づいて、前記基地局により形成された前記セルのカバレッジエリアの調整を前記基地局にてトリガする
ように構成される基地局。
【請求項１５】
前記セルに対する前記ＵＥ分布情報に基づいて、前記基地局により形成された前記セルの容量レベルを調整するようにさらに構成される、請求項１４に記載の基地局。
【請求項１６】
前記ＵＥ分布情報により示されるように、前記セルのトラフィック負荷に基づいて、前記セルの前記カバレッジを調整する又は前記セルに追加の容量を提供するようにさらに構成される、請求項１４又は１５に記載の基地局。
【請求項１７】
２次元ビン測定結果（２Ｄビン測定結果）を用いて、前記セルに対する前記ＵＥ分布情報を決定するようにさらに構成される、請求項１４から１６のいずれか一項に記載の基地局。
【請求項１８】
前記２Ｄビン測定結果は、前記セル内の１又は複数のＵＥからレポートされたタイミングアドバンス値（ＴＡＤＶ値）測定結果及び到来角（ＡＯＡ）測定結果を用いて作成される、請求項１７に記載の基地局。
【請求項１９】
規定された期間の間、前記基地局により形成された前記セルにおけるＵＥ分布を定期的に監視するようにさらに構成される、請求項１４から１８のいずれか一項に記載の基地局。
【請求項２０】
前記セル内の複数のユーザの分布に基づいて、前記基地局により形成された前記セルの前記カバレッジエリアを調整するようにさらに構成される、請求項１４から１９のいずれか一項に記載の基地局。
【請求項２１】
前記基地局は、前記セル内の１又は複数のユーザ機器（１又は複数のＵＥ）と通信するように構成され、前記１又は複数のＵＥは、アンテナ、タッチセンサ式のディスプレイスクリーン、スピーカ、マイク、グラフィックスプロセッサ、アプリケーションプロセッサ、内部メモリ、不揮発性メモリポート、及びこれらの組み合わせを含む、請求項１４から２０のいずれか一項に記載の基地局。
【請求項２２】
ユーザ機器（ＵＥ）分布情報に基づいてセルのカバレッジを適合するように動作可能な進化型ユニバーサル地上波無線アクセスネットワーク（Ｅ−ＵＴＲＡＮ）の装置であって、前記Ｅ−ＵＴＲＡＮは、１又は複数のプロセッサと、メモリとを備え、
ｅＮｏｄｅＢに関連付られるセルにおける複数のユーザ機器（複数のＵＥ）のそれぞれに対するタイムアドバンス値測定結果及び到来角（ＡＯＡ）測定結果を有する２次元ビン測定結果を前記Ｅ−ＵＴＲＡＮにて特定し、
前記複数のＵＥのそれぞれに対する前記２次元ビン測定結果に基づいて、前記ｅＮｏｄｅＢの前記セルにおける前記複数のＵＥの分布を前記Ｅ−ＵＴＲＡＮにて決定し、
前記セルにおける前記複数のＵＥの前記分布及び前記セルのトラフィック負荷に基づいて、前記ｅＮｏｄｅＢにより形成された前記セルのカバレッジエリアを前記Ｅ−ＵＴＲＡＮにて調整する
ように構成される、装置。
【請求項２３】
前記セルにおける前記複数のＵＥの前記分布及び前記セルにおける前記トラフィック負荷に基づいて、前記ｅＮｏｄｅＢにより形成された前記セルに追加の容量を提供するようにさらに構成される、請求項２２に記載の装置。
【請求項２４】
規定された期間の間、前記ｅＮｏｄｅＢにより形成された前記セルにおける前記複数のＵＥの前記分布を定期的に監視するようにさらに構成される、請求項２２又は２３に記載の装置。
【請求項２５】
前記セル内の複数のユーザの分布に基づいて、前記ｅＮｏｄｅＢにより形成された前記セルの前記カバレッジエリアを調整するようにさらに構成される、請求項２２から２４のいずれか一項に記載の装置。
【外国語明細書】
2018117380000001.pdf